(57)【要約】    【課題】  平面プランを何ら変更することなく機能付加ができ、しかも見栄えに優れた間仕切壁を提供する。    【解決手段】  間隔を隔てて立設した複数の間柱と、この間柱の両側に取り付けられ、かつ中空層を挟んで向き合う一対の表面材と、少なくとも一方の表面材の内側に積層した状態で取り付けられる補助面材とを具え、前記間柱は、表面材の面方向に突出し、上下に隔設された複数の取付凸部を有し、前記補助面材は、前記間柱の内法間隔と略同幅に形成され、かつ前記取付凸部と表面材とで挟着されて取り付けられることを特徴とする。【選択図】  図３
2006233693.tif 000002
【特許請求の範囲】
【請求項１】
間隔を隔てて立設した複数の間柱と、この間柱の両側に取り付けられ、かつ中空層を挟んで向き合う一対の表面材と、少なくとも一方の表面材の内側に積層した状態で取り付けられる補助面材とを具え、
前記間柱は、表面材の面方向に突出し、上下に隔設された複数の取付凸部を有し、
前記補助面材は、前記間柱の内法間隔と略同幅に形成され、かつ前記取付凸部と表面材とで挟着されて取り付けられることを特徴とする間仕切壁。
【請求項２】
前記間柱は、前記中空層に向く側面部に上下に隔設された複数の受け孔を有し、
前記取付凸部は、フックを有する取付具により形成され、
前記取付具は、フックを受け孔に係合することにより間柱の側面部に着脱可能に装着されることを特徴とする請求項１記載の間仕切壁。
【請求項３】
前記間柱は、前記中空層に向く側面部に上下にのびる受け溝を有し、
前記取付凸部は、弾性片を有する取付具により形成され、
前記取付具は、弾性片をその弾性に抗して受け溝内に圧入嵌合することにより間柱の側面部に装着されることを特徴とする請求項１記載の間仕切壁。
【請求項４】
前記一対の表面材は高比重石膏ボードを用いて形成され、
前記補助面材は、普通石膏ボードを用いて形成されるとともに、一方の表面材の内側にのみ添設されることを特徴とする請求項１〜３のいずれかに記載の間仕切壁。
【請求項５】
前記補助面材は、外部からの集中荷重を分散して支持するものであり、高剛性の薄板を用いて形成されることを特徴とする請求項１〜３のいずれかに記載の間仕切壁。
【発明の詳細な説明】
【技術分野】
【０００１】
本発明は、住宅、店舗、オフィフビルなどの建築物内部空間の仕切りとして形成され、遮音性向上、補強などの機能を付加しつつ、壁厚を増すことなく見栄えに優れた間仕切壁に関する。
【背景技術】
【０００２】
間仕切壁に対して、プライバシー保護を始め生活空間の環境向上のため、高い遮音性能が要求される。他方、非健常者、高齢者の生活を助ける手摺、吊戸棚、エアコン等の取り付けを可能とするため強度の補強を求めるケースがある。このような場合、図７に示すように、間柱ａの両側に表面材ｂ、ｂを添設して構成した間仕切壁ｄにおいて、片側の表面材ｂの上に石膏ボード、合板などの補助面材ｅを増し貼りして、遮音性を改善するとともに剛性アップを図っている（例えば、特許文献１参照）。
【０００３】
【特許文献１】特開２０００−４５４２８号公報
【発明の開示】
【発明が解決しようとする課題】
【０００４】
しかしながら、表面材ｂの上に補助面材ｅを増し張りすると、補助面材ｅの厚さ分壁厚が増加して、平面プランがその分変更となり、例えばクローゼットなどの収納家具、システムキッチンなどビルトインタイプの設備の納まりに支障を生じる場合がある。
【０００５】
また、間仕切壁の一部範囲に遮音性アップ、強度補強が求められる場合は、その範囲に補助面材ｅを増し張りすると、周囲の壁面との間に段差を生じ、外観を損ねるとともに、クロス貼りなど内装仕上げの作業性が低下する問題がある。そのため、必要でない範囲を含め全面に補助面材ｅを増し張りすることは、コストを必要以上に高めることになる。
【０００６】
本発明は、間柱の間隔内寸と略同幅に形成した補助面材を、表面材の内側に配置し、かつ取付凸部と表面材とで挟着することを基本とし、平面プランを何ら変更することなく機能付加ができ、しかも見栄えに優れた間仕切壁の提供を課題としている。
【課題を解決するための手段】
【０００７】
前記目的を達成するために、請求項１に係る発明は、間隔を隔てて立設した複数の間柱と、この間柱の両側に取り付けられ、かつ中空層を挟んで向き合う一対の表面材と、少なくとも一方の表面材の内側に積層した状態で取り付けられる補助面材とを具え、前記間柱は、表面材の面方向に突出し、上下に隔設された複数の取付凸部を有し、前記補助面材は、前記間柱の内法間隔と略同幅に形成され、かつ前記取付凸部と表面材とで挟着されて取り付けられることを特徴とする。
【０００８】
請求項２に係る発明では、前記間柱は、前記中空層に向く側面部に上下に隔設された複数の受け孔を有し、前記取付凸部は、フックを有する取付具により形成され、前記取付具は、フックを受け孔に係合することにより間柱の側面部に着脱可能に装着され、また請求項３に係る発明においては、前記間柱は、前記中空層に向く側面部に上下にのびる受け溝を有し、前記取付凸部は、弾性片を有する取付具により形成され、前記取付具は、弾性片をその弾性に抗して受け溝内に圧入嵌合することにより間柱の側面部に装着されることを特徴とする。
【０００９】
請求項４に係る発明では、前記一対の表面材は高比重石膏ボードを用いて形成され、前記補助面材は、普通石膏ボードを用いて形成されるとともに、一方の表面材の内側にのみ添設され、また請求項５に係る発明の補助面材は、外部からの集中荷重を分散して支持するものであり、高剛性の薄板を用いて形成されることを特徴とする。
【発明の効果】
【００１０】
請求項１に係る発明は、補助面材は、表面材の裏面に増し貼りされて、間仕切壁は厚さが増加することがないため、平面プランを何ら変更することなく遮音性向上、補強などの機能付加できる。併せて、間仕切壁表面側は凹凸を生じることがないため、内装面が見栄え良く仕上げられるとともに、化粧クロス貼りなど内装作業がやり易い。
【００１１】
請求項２に係る発明において、補助面材を挟着する取付具は、フックの係合により簡単に装着できるため、作業性に優れる。しかも補強面材の厚さ、重さなどに応じて取付具の個数を増減できるため、過不足ない取付強度に調整して固定しうる。
【００１２】
また請求項３に係る発明では、受け溝に対して弾性片を圧入嵌合することにより、取付具を簡単に装着できるため、作業性に優れる。そして取付具は、弾性片を用いて、上下にのびる受け溝の任意の高さに装着できるため、必要な高さを選択して補助面材を取り付けしうる。
【００１３】
請求項４に係る発明は、表面材は双方共重い高比重石膏ボードを用いて形成されるため、間仕切壁の総重量が増加して、遮音性能が向上する。しかも一方の表面材において、高比重石膏ボードと積層する普通石膏ボードは比重が小さいためそれ自体の遮音性能は乏しいものの、コインシデンス周波数が高比重石膏ボードと相違するため、積層体としてのコインシデンス周波数は、高比重石膏ボード単体のコインシデンス周波数と間でズレを生じる。その結果、間仕切壁全体としてのコインシデンス効果による遮音性能の低下が抑制されるため、全体の壁厚、重量を抑えつつも大きな透過損失が得られ、高水準の遮音間仕切壁を構築しうる。
【００１４】
また請求項５に係る発明では、例えば、手摺、吊戸棚など部分的に集中荷重が負荷する箇所を、有効に補強できるため、間仕切壁に種々の設備類を取り付けできる。
【発明を実施するための最良の形態】
【００１５】
以下、本発明の実施の一形態を、図示例とともに説明する。図１に示すように、間仕切壁１は、平面プランに応じて建築物の内部空間に配置され、この空間を区画するものであり、複数の間柱２と、この間柱２の両側に取り付けられる一対の表面材４と、表面材４の内側に添設される補助面材５とを具える。
【００１６】
前記間柱２は、一定の間隔、本形態では９００ｍｍを隔てて、天井２１と床２２との間に立設され、その側面部には、図２、３に示すように、上下間隔を隔てて並ぶ複数の取付凸部６が形成される。
【００１７】
本形態の間柱２は、図３に示すように、平行に向き合い上下にのびる一対の取付面２Ａ１、２Ａ１と、この取付面２Ａ１の両端間を継ぐ一対の側面２Ａ２、２Ａ２とからる角管状のスタッド２Ａにより形成される。このスタッド２Ａの上下端部が、各々内向きの姿勢で天井２１、床２２に固着された溝型のランナー２４、２４の内部に嵌合され、かつカシメ、固着具、専用金具などにより固着することにより、天井２１、床２２間に取り付けられる。スタッド２Ａ及びランナー２４は厚さ０．５〜１．２ｍｍ程度のメッキ鋼板を折り曲げて形成され、必要に応じてランナー２４、２４間に補強材を架け渡たして軽量鉄骨下地２３を構成する。軽量鉄骨下地２３を用いると、耐火性に優れるとともに、施工性が良い点で好ましい。なお前記スタッド２Ａは、角管状のほか、コ字状、Ｌ字状の断面に形成されるものもある。
【００１８】
前記取付凸部６は、本形態では図３に示すように、横コ字状の取付具９を用いて形成され、この取付具９の両フランジの先端にはフック８が設けられている。一方スタッド２Ａの側面２Ａ２には、前記取付具９のフランジ巾と同間隔で横に並ぶ縦スリット状の受け孔７が形成される。そして、前記取付具９は、そのフック８を受け孔７に係合することにより、スタッド２Ａの側面部に着脱可能に装着される。このように、取付具９のフック８をスタッド２Ａの受け孔７に係合することにより取付凸部６を簡単に形成できるため、組み立ての作業性が良い点で好ましい。
【００１９】
前記表面材４は、縦長矩形板状をなし、二枚が中空層３を挟んで向き合い、スタッド２Ａの取付面２Ａ１、２Ａ１にボードビス２５を用いて各々取り付けられる。本形態の表面材４は、天井２１高と略同高さ、本形態では、２４００ｍｍの高さを有し、スタッド２Ａ上で継目を設けるためスタッド２Ａの間隔９００ｍｍと同巾に形成される。
【００２０】
また前記表面材４は、本形態では、比重が１．１を超える高比重石膏ボード１２を用いる。重くて厚い遮音材ほど、透過損失が増大するとする質量則から、本形態の間仕切壁１は、遮音性能が向上する点で好ましい。
【００２１】
更に本形態では、高比重石膏ボード１２として具体的には、硬質石膏ボード１２Ｈを使用した場合を例示している。この硬質石膏ボード１２Ｈは、ガラス繊維・無機質材料等をボード芯材に添加して超硬質に成形されるものである。普通石膏ボードに比べて約４倍の表面の硬さを有し、比重は１．１を超えて高密度に形成されるため、遮音性能に優れ、更に曲げ破壊荷重が約２倍、吸水率は約１／３として優れた強度性能、防水性能を持つ。
【００２２】
硬質石膏ボード１２Ｈの厚さは、例えば、７．０〜２０ｍｍ程度、好ましくは９．５〜１５ｍｍが望ましい。７．０未満では、厚さ不足のため充分は遮音性能が得られず、逆に２０ｍｍを超えると、重量が重くなり過ぎて施工能率を低下させるとともに間仕切壁の設計許容厚さをオーバーする可能性がある。硬質石膏ボード１２Ｈとして、吉野石膏株式会社製「タイガースーパーハード」（登録商標）、チヨダウーテ株式会社製「タフジーボード」（登録商標）等を採用できる。
【００２３】
また硬質石膏ボード１２Ｈのほか、強化石膏ボード１２Ｓを用いることができる。この強化石膏ボード１２Ｓは、ガラス繊維などの添加により耐火性能を強化したボードである。ヤング率が５．０×１０5 Ｎ／ｃｍ2 を超える硬剛性を有し、同時に比重が１．１を超えるため優れた遮音性能を備える石膏ボードであり、吉野石膏株式会社製「タイガーボード・タイプＺ」（登録商標）、チヨダウーテ株式会社製「汎用強化せっこうボード」等を採用できる。強化石膏ボード１２Ｓを用いると、遮音性能とともに高い耐火性能を発揮するため、住宅、学校、ビルなどの耐火間仕切壁として好適に使用できる。
【００２４】
前記補助面材５は、縦長矩形板状をなし、前記表面材４の内側に沿って取り付けられる。本形態の補助面材５は、天井２１高と略同高さ、本形態では、２４００ｍｍの高さを有し、前記スタッド２Ａの間隔内寸と同巾に形成される。
【００２５】
また本形態では、補助面材５として普通石膏ボード１３を用いた場合を例示している。この普通石膏ボード１３は、半水せっこうに水を加えてボード用原紙に挟み連続的に成形したものであり、９．５ｍｍ、１２．５ｍｍ、１５ｍｍなどの標準厚さのボードが大量に生産される。また普通石膏ボード１３は、比重０．６〜０．７程度と比較的軽量であり、ヤング率が１．５〜３．５×１０5 Ｎ／ｃｍ2 程度の剛性を備える。
【００２６】
この補助面材５は、図２に示すように、前記取付凸部６と表面材４とで挟持して取り付けられる。仮固定及び取付強度安定のため、本形態では図４（Ｂ）に示すように、補助面材５の縁部をビス２６により取付凸部６に固着する。更に補助面材５と表面材４とは、酢酸ビニル系エマルジョン接着剤などを用いて積層一体化することが望ましい。このようにして、補助面材５は、表面材４の裏面側の中空層３内に増し貼りされるため、間仕切壁は厚さには影響しない。従って平面プランに何ら変更を生じることなく遮音性向上、補強などの機能付加できる。また表面材４の外表面に凹凸を生じないため、フラットな外観性の優れた内装面が得られ、クロス仕上げなどの内装作業もやり易い。
【００２７】
しかも、前記普通石膏ボード１３など補助面材５の厚さ、比重などにより必要な取付強度に応じた個数の取付具９を、スタッド２Ａに係合して取付凸部６を設けることができるため、過不足ない取付強度に調整して補助面材５を固定しうる。
【００２８】
また本形態では、密度の大きい高比重石膏ボード１２を用いて表面材４を形成するため、間仕切壁１の総重量が増加して、遮音性能が向上する。しかも一方の高比重石膏ボード１２は、比重が小さい普通石膏ボードが増し貼りされるため、それ自体の遮音性能は小さいが、高比重石膏ボード１２と相違したコインシデンス周波数を持つため、積層体としてのコインシデンス周波数は、他方の高比重石膏ボード１２のコインシデンス周波数と間でズレを生じる。その結果、コインシデンス効果による間仕切壁１全体の遮音性能の低下が抑制され、全体の壁厚、重量を抑えつつも大きな透過損失が得られる。
【００２９】
しかして、本形態の間仕切壁１を施工するに際しては、先ず図３、４（Ａ）に示すように、必要個数の取付具９のフック８を、スタッド２Ａの受け孔７に係合することにより、取付凸部６を形成する。次いで図３、４（Ｂ）に示すように、普通石膏ボード１３からなる補助面材５の両側部を、前記取付凸部６にビス２６により固着しする。次いで図３、４（Ｃ）に示すように、前記補助面材５の外面に酢酸ビニル系エマルジョン接着剤を均一に塗布し、その上に高比重石膏ボード１２からなる表面材４を積層するとともに、ボードビス２５を用いてスタッド２Ａの取付面２Ａ１に固着する。他方の表面材４も同様にしてボードビス２５を用いてスタッド２Ａに固着することにより、図２に示すように、中空層３を隔てて向き合う表面材４、４がスタッド２Ａに固着され、一方の表面材４の内側に補助面材５を増し貼りしたフラッシュ構造の間仕切壁１が形成される。
【００３０】
図５、６は、他の実施形態を例示している。以下異なる内容について説明し、それ以外は図中に表れた主要な構成に同じ符号を付すのみとする。本形態の間柱２は、中実角柱状をなし、中空層３に向く側面部に、左右に平行に並んで上下にのびる受け溝１０を有する。
【００３１】
前記取付凸部６は、横コ字状の取付具９を用いて構成され、この取付具９には、バネ鋼、工具鋼、ステンレス鋼などの弾性材料が用いられる。この取付具９の双方のフランジ間隔は、前記受け溝１０の間隔と同巾に形成され、そのフランジ先端には、各々内側にＵ字状に折り返された弾性片１１が設けられる。そして、取付具９は、その弾性片１１を受け溝１０に圧入嵌合することにより、スタッド２Ａの側面部に装着される。弾性片１１の圧入により取付具９を装着できるため、作業を能率的に行える。弾性片１１を用いて、上下にのびる受け溝の任意の高さに取付具９を装着できるため、補助面材を必要な高さに取り付けしうる点で好ましい。
【００３２】
また、間仕切壁に手摺、吊戸棚、エアコンを取り付ける場合など、石膏ボードを用いた表面材４に、曲げ強度、耐クラック性を向上させ、またビスの引き抜き保持力を高める時には、前記補助面材５は、前記普通石膏ボード１３に替え、例えば合板、中質繊維板（ＭＤＦ）、薄鋼板などの高剛性の薄板が使用される。この場合外部からの集中荷重を分散支持できるため、表面材４が破損することなく安定して外力を支持でき、間仕切壁に種々の設備類を取り付けできる。更に、手摺の取り付けなど、スタッド２Ａ間で特定の高さの範囲にのみ補強を必要とする場合は、スタッド２Ａ間に必要高さを有する横長矩形状の補助面材５を増し貼りすることもできる。また前記補助面材５は、間仕切壁の両側に対して設備類を取り付ける場合など、必要に応じて両側の表面材４の内側に増し貼りすることも良い。
【００３３】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３４】
【図１】本発明の一実施の形態を例示する斜視図である。
【図２】そのＸ−Ｘ断面図である。
【図３】その要部分解斜視図である。
【図４】（Ａ）〜（Ｃ）は施工手順を順次説明する断面図である。
【図５】他の実施形態の要部分解斜視図である。
【図６】その要部分解断面図である。
【図７】従来例の断面図である。
【符号の説明】
【００３５】
１      間仕切壁
２      間柱
３      中空層
４      表面材
５      補助面材
６      取付凸部
７      受け孔
８      フック
９      取付具
１０      受け溝
１１      弾性片
１２      高比重石膏ボード
１３      普通石膏ボード
【図１】
2006233693.tif 000003
【図２】
2006233693.tif 000004
【図３】
2006233693.tif 000005
【図４】
2006233693.tif 000006
【図５】
2006233693.tif 000007
【図６】
2006233693.tif 000008
【図７】
2006233693.tif 000009